(57)【要約】【課題】強度を向上できる制御装置及び画像表示システムを提供すること。【解決手段】外装を構成する外装筐体と、外装筐体に収容される第１回路基板と、を有し、外装筐体は、第１ケース及び第２ケースと、第１ケース及び第２ケースとの間に配置される中間部材と、を有し、中間部材は、第１回路基板の少なくとも一部を覆い、少なくとも中心部が金属製部材により構成され、外部に周縁の少なくとも一部が露出することを特徴とする制御装置。【選択図】図５
2017147270.tif 000002
【特許請求の範囲】
【請求項１】
外装を構成する外装筐体と、
前記外装筐体に収容される第１回路基板と、を有し、
前記外装筐体は、
第１ケース及び第２ケースと、
前記第１ケース及び前記第２ケースとの間に配置される中間部材と、を有し、
前記中間部材は、前記第１回路基板の少なくとも一部を覆い、少なくとも中心部が金属製部材により構成され、外部に周縁の少なくとも一部が露出することを特徴とする制御装置。
【請求項２】
請求項１に記載の制御装置において、
前記第１回路基板には、回路素子が配置され、
前記中間部材の前記金属製部材により構成された部位は、前記回路素子を覆うことを特徴とする制御装置。
【請求項３】
請求項２に記載の制御装置において、
前記中間部材に取り付けられる第２回路基板を有することを特徴とする制御装置。
【請求項４】
請求項２又は請求項３に記載の制御装置において、
前記中間部材と前記回路素子とを接続する熱伝導部材を有することを特徴とする制御装置。
【請求項５】
請求項４に記載の制御装置において、
前記熱伝導部材は、シート状に形成され、
前記中間部材は、開口部を有し、
シート状の前記熱伝導部材の一端が前記回路素子に当接し、当該熱伝導部材の他端が前記開口部を挿通して、前記中間部材に当接していることを特徴とする制御装置。
【請求項６】
請求項５に記載の制御装置において、
前記中間部材と前記熱伝導部材との間に配置され、前記熱伝導部材を前記回路素子に付勢する付勢部材を有することを特徴とする制御装置。
【請求項７】
請求項１から請求項６のいずれか一項に記載の制御装置において、
前記第２ケースの前記第１回路基板と離間する位置には、二次電池が収容されていることを特徴とする制御装置。
【請求項８】
請求項１から請求項７のいずれか一項に記載の制御装置において、
前記中間部材は、把手を有することを特徴とする制御装置。
【請求項９】
請求項８に記載の制御装置において、
前記外装筐体は、ケーブルが接続される端子部を有し、
前記把手は、前記外装筐体において前記端子部が位置する面に設けられていることを特徴とする制御装置。
【請求項１０】
請求項１から請求項９のいずれか一項に記載の制御装置において、
前記中間部材は、マグネシウムダイカストにより構成されていることを特徴とする制御装置。
【請求項１１】
請求項１から請求項１０のいずれか一項に記載の制御装置において、
前記第１ケースは、使用者により操作される操作面を有することを特徴とする制御装置。
【請求項１２】
請求項１から請求項１１のいずれか一項に記載の制御装置において、
前記第２ケースは、前記第１回路基板を支持する支持部を有し、
前記第１回路基板の少なくとも一部は、前記中間部材に当接していることを特徴とすることを特徴とする制御装置。
【請求項１３】
使用者の頭部に応じた位置に装着される画像表示装置と、
前記画像表示装置に制御信号を出力する、請求項１から請求項１２のいずれか一項に記載の制御装置と、を備えることを特徴とする画像表示システム。
【発明の詳細な説明】
【技術分野】
【０００１】
本発明は、制御装置及び画像表示システムに関する。
【背景技術】
【０００２】
従来、使用者の頭部に装着される、ＨＭＤ（Head Mounted Display）と呼ばれる頭部装着型画像表示装置に接続され、当該頭部装着型画像表示装置を制御する入力装置が知られている（例えば、特許文献１参照）。
この特許文献１に記載の入力装置は、点灯部と、タッチパッドと、操作キー群と、電源スイッチと、を備えている。これらのうち、使用者は、電源スイッチをＯＮにした後、タッチパッド及び操作キー群を操作することにより、頭部装着型画像表示装置を制御する。
【先行技術文献】
【特許文献】
【０００３】
【特許文献１】特開２０１４−１５４０７４号公報
【発明の概要】
【発明が解決しようとする課題】
【０００４】
ところで、上記特許文献１に記載の入力装置の内部には、ＣＰＵ等の制御回路を構成する電子部品が複数配置される。
しかしながら、一般的に入力装置（制御装置）の外装は、樹脂等により構成されているので、当該入力装置に衝撃が加えられた場合、当該制御装置の内部に配置された電子部品が上記衝撃により生じる応力等により破損する可能性がある。このため、衝撃等に対する強度の高い入力装置が要望されている。
【０００５】
本発明は、上記課題の少なくとも１つを解決することを目的としたものであり、強度を向上できる制御装置及び画像表示システムを提供することを目的とする。
【課題を解決するための手段】
【０００６】
本発明の第１態様に係る制御装置は、外装を構成する外装筐体と、前記外装筐体に収容される第１回路基板と、を有し、前記外装筐体は、第１ケース及び第２ケースと、前記第１ケース及び前記第２ケースとの間に配置される中間部材と、を有し、前記中間部材は、前記第１回路基板の少なくとも一部を覆い、少なくとも中心部が金属製部材により構成され、外部に周縁の少なくとも一部が露出することを特徴とする。
【０００７】
上記第１態様によれば、外装筐体が第１ケース、第２ケース、及び金属製部材により構成される中間部材により構成され、当該第１ケース及び第２ケースの間に中間部材が配置されるので、外装筐体の衝撃等に対する強度を向上できる。従って、外装筐体内に配置される第１回路基板の上記衝撃等による破損を抑制できる。
また、中間部材の一部が外部に露出していることから、当該中間部材の熱を制御装置外に放熱させることができる。すなわち、制御装置の温度が上昇することを抑制できる。
更に、中間部材の全領域が金属製部材により構成されている場合、当該中間部材の一部が外部に露出しているので、制御装置の外観を高めることができる。例えば、第１ケース及び第２ケースが合成樹脂等により構成されていれば、特に、制御装置の側面の外観を向上できる。
【０００８】
上記第１態様では、前記第１回路基板には、回路素子が配置され、前記中間部材の前記金属製部材により構成された部位は、前記回路素子を覆うことが好ましい。
ここで、第１回路基板には、回路素子が配置され、当該回路素子が処理を実行することにより、当該回路素子の温度が上昇すると、当該回路素子がノイズを発生させることがある。
これに対し、上記第１態様によれば、中間部材の少なくとも中心部が金属製部材により構成され、当該金属製部材により構成された部位が回路素子を覆っているので、当該回路素子から発生するノイズが制御装置外に輻射することを抑制できる。また、上記部位が金属製部材により構成されているので、ノイズの外部への輻射を抑制できる。従って、当該ノイズの輻射を抑制する部材を別途設ける必要がないので、制御装置の部品点数を削減できる。
【０００９】
上記第１態様では、前記中間部材に取り付けられる第２回路基板を有することが好ましい。
このような構成によれば、第２回路基板が中間部材に取り付けられているので、第２回路基板に回路素子が設けられている場合には、当該第２回路基板により当該回路素子からのノイズが外部に輻射することを抑制できる。また、第２回路基板が中間部材に取り付けられていることから、第２回路基板が中間部材に取り付けられていない場合に比べて、第２回路基板を外装筐体内にて確実に保持できる。
【００１０】
上記第１態様では、前記中間部材と前記回路素子とを接続する熱伝導部材を有することが好ましい。
このような構成によれば、回路素子と中間部材とが熱伝導部材により接続されているので、回路素子の熱を中間部材に確実に伝達できる。これにより、中間部材から回路素子の熱を放熱できるので、制御装置の温度が上昇することをより抑制できる。
【００１１】
上記第１態様では、前記熱伝導部材は、シート状に形成され、前記中間部材は、開口部を有し、シート状の前記熱伝導部材の一端が前記回路素子に当接し、当該熱伝導部材の他端が前記開口部を挿通して、前記中間部材に当接していることが好ましい。
このような構成によれば、シート状の熱伝導部材の一端が回路素子に当接し、他端が中間部材の回路素子とは反対方向側の面に当接するので、回路素子の熱をより遠くに伝導することができる。従って、制御装置の温度が上昇することを更に抑制できる。
【００１２】
上記第１態様では、前記中間部材と前記熱伝導部材との間に配置され、前記熱伝導部材を前記回路素子に付勢する付勢部材を有することが好ましい。
このような構成によれば、熱伝導部材が付勢部材により回路素子に対して付勢されるので、回路素子の熱が熱伝導部材を介して確実に中間部材に伝達できる。従って、制御装置の温度が上昇することを確実に抑制できる。
【００１３】
上記第１態様では、前記第２ケースの前記第１回路基板と離間する位置には、二次電池が収容されていることが好ましい。
このような構成によれば、第２ケースに二次電池が収容されているので、例えば、当該二次電池を取り出すことなく充電できる構成であれば、電池交換が不要となり、使用者の利便性を向上させることができる。また、二次電池と第１回路基板とが離間する位置に配置されている、すなわち、二次電池と第１回路基板とが当接していないので、第１回路基板に二次電池の熱が伝達することを抑制できる。
【００１４】
上記第１態様では、前記中間部材は、把手を有することが好ましい。
このような構成によれば、中間部材が把手を有するので、使用者は、当該把手にストラップ等を取り付け、制御装置を所望の位置（例えば、ベルトやヘルメット等）に取り付けることが容易になる。また、当該把手が金属製部材により構成されている場合には、把手の強度を高めることができる。
【００１５】
上記第１態様では、前記外装筐体は、ケーブルが接続される端子部を有し、前記把手は、前記外装筐体において前記端子部が位置する面に設けられていることが好ましい。
このような構成によれば、端子部が位置する面に把手が設けられるので、当該把手がケーブルにより目立たなくなるので、制御装置の外観を良好にできる。
【００１６】
上記第１態様では、前記中間部材は、マグネシウムダイカストにより構成されていることが好ましい。
このような構成によれば、中間部材がマグネシウムダイカストにより構成されている、すなわち、中間部材の全領域が金属製部材により構成されているので、中間部材の強度、ひいては、制御装置の外装筐体の強度を高めることができる。
【００１７】
上記第１態様では、前記第１ケースは、使用者により操作される操作面を有することが好ましい。
このような構成によれば、使用者は、操作面を操作することにより、制御装置を操作できる。例えば、当該制御装置にケーブル等を介して、画像表示装置等が接続されていれば、当該操作面を操作することで、画像表示装置を操作できる。
【００１８】
上記第１態様では、前記第２ケースは、前記第１回路基板を支持する支持部を有し、前記第１回路基板の少なくとも一部は、前記中間部材に当接していることが好ましい。
このような構成によれば、第２ケースの支持部が第１回路基板の少なくとも一部に当接しているので、第１回路基板を外装筐体内において確実に保持できる。
【００１９】
本発明の第２態様に係る画像表示システムは、使用者の頭部に応じた位置に装着される画像表示装置と、前記画像表示装置に制御信号を出力する、上記制御装置と、を備えることを特徴とする。
なお、画像表示装置が装着される頭部の部位としては、前額部、側頭部、後頭部及び頭頂部を含む頭部の上部を例示できる。この際、使用者がヘルメットや帽子等を装着している場合には、当該ヘルメットや帽子等において上記上部に応じた位置とすることができる。すなわち、使用者の頭部に応じた位置に画像表示装置が配置されていれば、頭部に直接装着されてもよく、頭部と画像表示装置との間にヘルメットや帽子等の構成が介在していてもよい。
上記第２態様によれば、上記第１態様に係る制御装置と同様の効果を奏することができる。
また、制御装置からの制御信号により画像表示装置を制御できるので、例えば、画像表示装置に操作部等が設けられている場合に比べて、容易に当該画像表示装置を制御できる。従って、使用者の利便性をより向上させることができる。
【図面の簡単な説明】
【００２０】
【図１】本発明の第１実施形態に係る画像表示システムを示す図。
【図２】上記第１実施形態に係る制御装置を正面側から見た斜視図。
【図３】上記第１実施形態に係る制御装置を背面側から見た斜視図。
【図４】上記第１実施形態に係る制御装置の６面図。
【図５】上記第１実施形態に係る制御装置の分解斜視図。
【図６】上記第１実施形態に係る中間部材の正面図。
【図７】上記第１実施形態に係る中間部材の左側面図。
【図８】上記第１実施形態に係る中間部材の右側面図。
【図９】上記第１実施形態に係るアッパーケース、第１タッチパッド、第２タッチパッド、光源部及びキートップを取り外した状態の制御装置を示す図。
【図１０】上記第１実施形態に係る制御装置の断面図。
【図１１】本発明の第２実施形態に係る中間部材の正面図。
【発明を実施するための形態】
【００２１】
［第１実施形態］
以下、本発明の第１実施形態について、図面に基づいて説明する。
［画像表示システムの概略構成］
図１は、本実施形態に係る画像表示システム１の構成を示す図である。
本実施形態に係る画像表示システム１は、虚像表示装置２及び制御装置３を備える。そして、画像表示システム１は、制御装置３から送信（出力）される操作信号及び画像情報に応じて虚像表示装置２が動作することにより、当該虚像表示装置２を装着した使用者に、画像情報に応じた虚像を視認させるものである。
以下、各構成について詳述する。
【００２２】
［虚像表示装置の構成］
虚像表示装置２は、本発明の電子機器としての画像表示装置に相当する。この虚像表示装置２は、使用者の頭部やヘルメット等に装着されて使用されるＨＭＤ（Head Mounted Display）として構成されている。そして、当該虚像表示装置２は、ケーブルＣＢを介して制御装置３から送信される画像情報に応じた画像光（当該画像情報に応じた画像を構成する光）を使用者の眼に入射させて、当該画像光により構成される画像を虚像として視認させる。また、虚像表示装置２は、外光を透過させて外界像を観察可能に構成されている。すなわち、虚像表示装置２は、シースルー型のＨＭＤとして構成されている。
このような虚像表示装置２は、使用者の頭部やヘルメット等における頭部に応じた位置（具体的には、頭部における上部）に装着されるヘッドバンド部２１と、上記画像を虚像として使用者に視認させる表示部２２と、ヘッドバンド部２１及び表示部２２を接続するアーム部２３と、を備える。
【００２３】
［制御装置の構成］
図２は、制御装置３を正面部３Ａ側から見た斜視図であり、図３は、制御装置３を背面部３Ｂ側から見た斜視図であり、図４は、制御装置３の６面図である。
制御装置３は、図２〜図４に示すように、略直方体形状を有する。制御装置３は、図２に示すように、正面部３Ａ、背面部３Ｂ、天面部３Ｃ、底面部３Ｄ、左側面部３Ｅ及び右側面部３Ｆを有する。これらのうち、正面部３Ａには、使用者により操作される操作面４１Ａ及びキートップ６１が設けられている。また、天面部３Ｃには、コネクターＣＮが装着され、当該コネクターＣＮの先端には、虚像表示装置２に接続されるケーブルＣＢが接続されている。更に、左側面部３Ｅには、キートップ６３が設けられ、右側面部３Ｆには、キートップ６２が設けられている。
これら操作面４１Ａ及びキートップ６１〜６３の構成については後述するが、当該操作面４１Ａ及びキートップ６１〜６３の操作に応じた制御信号がコネクターＣＮ及びケーブルＣＢを介して、虚像表示装置２に送信され、当該制御信号に従って虚像表示装置２が動作する。
なお、以下の説明では、制御装置３の背面部３Ｂから正面部３Ａに向かう方向を＋Ｚ方向とし、制御装置３の左側面部３Ｅから右側面部３Ｆに向かう方向を＋Ｘ方向とし、制御装置３の底面部３Ｄから天面部３Ｃに向かう方向を＋Ｙ方向とする。また、＋Ｚ方向側とは、＋Ｚ方向先端側を指し、−Ｚ方向とは、＋Ｚ方向基端側を指す。他の方向も同様である。
【００２４】
［外装筐体の構成］
図５は、制御装置３の分解斜視図である。
外装筐体４は、図２〜図５に示すように、アッパーケース４１、ロアーケース４２及び中間部材５により構成される。また、中間部材５は、アッパーケース４１とロアーケース４２との間に配置され、当該中間部材５の周縁の少なくとも一部が外部に露出している。すなわち、上記正面部３Ａは、アッパーケース４１により構成され、上記背面部３Ｂは、ロアーケース４２により構成され、天面部３Ｃ、底面部３Ｄ、左側面部３Ｅ及び右側面部３Ｆのそれぞれは、アッパーケース４１、ロアーケース４２及び中間部材５により構成される。
また、アッパーケース４１及びロアーケース４２は、合成樹脂等により構成され、中間部材５は、マグネシウムダイカストにより構成される。このため、天面部３Ｃ、底面部３Ｄ、左側面部３Ｅ及び右側面部３Ｆの周縁の略全領域には、マグネシウムダイカストにより構成される中間部材５の一部が露出する。
【００２５】
このような外装筐体４内には、図５に示すように、上記キートップ６１〜６３の他、二次電池７１、第１回路基板７２、熱伝導シート７３、第２回路基板７４、第１タッチパッド７５及び光源部７６が収容されている。なお、これら外装筐体４内に収容される上記各種構成について、詳しくは後述する。
【００２６】
［アッパーケースの構成］
アッパーケース４１は、本発明の第１ケースに相当し、中間部材５をロアーケース４２とともに挟持し、上記外装筐体４を構成する部材である。このアッパーケース４１は、操作面４１Ａ、４つの突出部４１１、凸部４１２及び孔部４１３を備える。これら４つの突出部４１１は、図５に示すように、アッパーケース４１の−Ｚ方向側の面から、当該−Ｚ方向に突出する部位である。この突出部４１１は、後述する中間部材５の複数の孔部５７を介してロアーケース４２の孔部４２６に当接する。
また、これら突出部４１１のそれぞれには、ねじ孔４１１１が形成されている。このねじ孔４１１１には、ロアーケース４２の孔部４２６を介してねじ（図示省略）が挿通し、上記ねじが、ねじ孔４１１１に螺合することにより、アッパーケース４１及びロアーケース４２が中間部材５を挟持した状態で固定される。
また、凸部４１２は、アッパーケース４１の−Ｚ方向側の周縁から突出する形状であり、当該凸部４１２は、中間部材５の枠部５２における凹部５２１に係合する（図１０参照）。
【００２７】
［操作面の構成］
操作面４１Ａは、図２に示すように、アッパーケース４１の＋Ｚ方向側の面の略中央に設けられる略角丸四角形状の面である。この操作面４１Ａは、位置入力領域Ａｒ１、特定キー入力領域Ａｒ２及び方向キー入力領域Ａｒ３を有する。これらのうち、位置入力領域Ａｒ１は、操作面４１Ａにおける最も＋Ｙ方向側に位置し、支持体（例えば、使用者の指等）により実行される一般的な操作（例えば、使用者による位置指定操作、クリック操作、ドラッグ操作及びフリック操作等）を受け付ける領域である。アッパーケース４１の−Ｚ方向側面における当該位置入力領域Ａｒ１に対応する領域には、第１タッチパッド７５が配置されている。これにより、位置入力領域Ａｒ１は、上記支持体により実行される上記各種操作を受け付ける。
また、位置入力領域Ａｒ１には、シボ加工が施されており（図示省略）、これにより、使用者は、タッチパット入力が実行できる位置入力領域Ａｒ１を容易に認識できる。
【００２８】
特定キー入力領域Ａｒ２は、位置入力領域Ａｒ１と方向キー入力領域Ａｒ３との間に位置する。この特定キー入力領域Ａｒ２には、四角の図形、丸の図形及び三角の図形が＋Ｘ方向に並んで配置され、当該各種図形の略中央には、孔部４１３がそれぞれ形成されている。これら各種図形のそれぞれには、特定の機能が割り当てられ、当該各種図形を上記支持体により支持することにより、上記特定の機能が実行される。
この孔部４１３に対応する領域には、第１タッチパッド７５とは別部材にて構成される、光源部７６が配置されている。この光源部７６は、３つのＬＥＤ（Light Emitting Diode）７６１を有し、当該３つのＬＥＤ７６１は、上記孔部４１３に対応する位置に配置されている。これらＬＥＤ７６１が点灯することにより、四角の図形、丸の図形及び三角の図形の位置及び機能を明確にしている。
【００２９】
方向キー入力領域Ａｒ３は、略ドーナツ状に形成され、特定キー入力領域Ａｒ２の−Ｙ方向側に位置する。この方向キー入力領域Ａｒ３は、略ドーナツ状に形成され、当該方向キー入力領域Ａｒ３の略中央には、キートップ６１が配置されている。この方向キー入力領域Ａｒ３は、キートップ６１に向けて−Ｚ方向側に傾斜している。
この方向キー入力領域Ａｒ３における＋Ｙ方向側の領域には、上方向が対応付けられ、−Ｙ方向側の領域には、下方向が対応付けられている。また、＋Ｘ方向には、右方向が対応付けられ、−Ｘ方向には、左方向が対応付けられている。これにより、方向キー入力領域を上記支持体にて操作することにより、各種機能における方向を設定できる。
キートップ６１は、いわゆる決定キーであり、当該キートップ６１を上記支持体にて押下することにより、上記位置入力領域Ａｒ１及び上記特定キー入力領域Ａｒ２の操作により選択した各種機能が実行若しくは決定される。
【００３０】
［ロアーケースの構成］
ロアーケース４２は、本発明の第２ケースに相当し、中間部材５をアッパーケース４１とともに挟持し、上記外装筐体４を構成する部材である。すなわち、ロアーケース４２は、制御装置３の背面部３Ｂ、天面部３Ｃ、底面部３Ｄ、左側面部３Ｅ及び右側面部３Ｆを構成し、当該ロアーケース４２内、具体的に、ロアーケース４２の底面部４２Ａに対向する位置には、二次電池７１が収容される。
このようなロアーケース４２は、図５に示すように、第１開口部４２１、第２開口部４２２、第３開口部４２３、第４開口部４２４、カバー部材４２５、４つの孔部４２６、支持部４２７及び凸部４２８を備える。
また、ロアーケース４２には、上記アッパーケース４１の操作面４１Ａにおける位置入力領域Ａｒ１に施されたシボ加工よりも、荒目のシボ加工が施されている（図示省略）。このシボ加工は、滑り止めとして機能する。このため、使用者は、制御装置３（外装筐体４）を保持した際に、当該ロアーケース４２、ひいては、制御装置３を確実に保持できる。
【００３１】
第１開口部４２１は、ロアーケース４２の左側面部３Ｅを構成する面に形成され、当該第１開口部４２１に対向する位置には、第１回路基板７２に固定され、二次電池７１に電力を供給するジャック（図示省略）が位置している。これにより、不図示の電力供給用プラグが第１開口部４２１を介して挿通されると、上記ジャックに上記プラグが嵌合し、二次電池７１の充電が可能となる。
第２開口部４２２は、ロアーケース４２の左側面部３Ｅを構成する面における第１開口部４２１の−Ｙ方向側の位置に形成され、当該第２開口部４２２に対向する位置には、マイクロＳＤ等の記憶媒体が挿通されるスロットが位置する（図示省略）。また、この第２開口部４２２には、カバー部材４２５が挿通され、当該カバー部材４２５により上記スロット及び当該スロットに装着された記憶媒体が保護される。
【００３２】
第３開口部４２３は、ロアーケース４２の底面部３Ｄを構成する面の略中央に形成され、当該第３開口部４２３には、キートップ６４が取り付けられる。このキートップ６４は、第１回路基板７２に固定された起立部（図示省略）に接続され、当該キートップ６４を押下することにより、制御装置３のＯＮ及びＯＦＦを切り換えられる。すなわち、キートップ６４は、電源装置として機能する。
第４開口部４２４は、ロアーケース４２の天面部３Ｃを構成する面の略中央に形成され、当該第４開口部４２４に対向する位置には、第１回路基板７２に固定された端子部７２１が位置する。この端子部７２１には、上記コネクターＣＮが第４開口部４２４を介して装着される。
カバー部材４２５は、ゴム等の弾性部材により構成され、上記第２開口部４２２に挿通される。このカバー部材４２５は、第２開口部４２２を覆う機能を有する。
【００３３】
複数の孔部４２６は、ロアーケース４２の底面部４２Ａの四隅に設けられる。この複数の孔部４２６には、ねじ（図示省略）が挿通し、当該ねじは、アッパーケース４１における突出部４１１のねじ孔４１１１に螺合することにより、アッパーケース４１及びロアーケース４２が中間部材５を挟持した状態で固定される。
支持部４２７は、第１回路基板７２を支持する機能を有する。この支持部４２７は、上記複数の孔部４２６近傍にそれぞれ設けられ、当該それぞれの支持部４２７の＋Ｚ方向側の面にて、第１回路基板７２を支持する。また、これら支持部４２７の＋Ｚ方向の寸法は、二次電池７１の＋Ｚ方向の寸法より大きく設定されている。このため、二次電池７１及び第１回路基板７２は、上記寸法の差分の隙間を開けた状態でロアーケース４２に収容される。すなわち、ロアーケース４２の第１回路基板７２と離間する位置に二次電池７１が収容される。
凸部４２８は、ロアーケース４２の＋Ｚ方向側の周縁から突出する形状であり、当該凸部４２８は、中間部材５の枠部５２における凹部５２２に係合する（図１０参照）。
【００３４】
［二次電池の構成］
二次電池７１は、上記ロアーケース４２内に収容され、制御装置３及び虚像表示装置２に電力を供給する。この二次電池７１は、図５に示すように、延出部７１１を有し、当該延出部７１１は、第１回路基板７２の天面７２Ａに固定された接続部７２２に電気的に接続される。これにより、上記第１開口部４２１及び上記ジャックを介して供給される電力が第１回路基板７２（接続部７２２及び延出部７１１）を介して二次電池７１に供給され、当該二次電池７１は、当該供給される電力を蓄電する。
このような二次電池７１は、キートップ６４が押下され制御装置３の電源がＯＮ状態になった際に、コネクターＣＮ及びケーブルＣＢを介して、当該二次電池７１に蓄電された電力を虚像表示装置２に供給する。これにより、虚像表示装置２が駆動する。
【００３５】
［第１回路基板の構成］
第１回路基板７２は、複数の回路素子を備える回路基板である。この第１回路基板７２は、図５に示すように、略矩形板状に形成され、＋Ｚ方向側に位置する天面７２Ａ及び当該天面７２Ａの反対方向側の背面７２Ｂを備える。これらのうち、背面７２Ｂの＋Ｙ方向側の位置には、端子部７２１が配置されている。また、天面７２Ａの＋Ｘ方向側の位置には、上記接続部７２２が配置されている。更に、天面７２Ａ及び背面７２Ｂのそれぞれには、複数の回路素子が配置されている。これらのうち、複数の回路素子のうち、ＣＰＵ７２３は、天面７２Ａの略中央に配置されている。このＣＰＵ７２３の＋Ｚ方向側の面には、熱伝導シート７３が接続される。
【００３６】
［熱伝導シートの構成］
熱伝導シート７３は、可撓性を有する矩形状のグラファイトシートにより構成されるシート状の熱伝導部材である。この熱伝導シート７３は、本発明の熱伝導部材に相当し、中間部材７と回路素子の１つであるＣＰＵ７２３とを接続する。具体的に、熱伝導シート７３の一端は、ＣＰＵ７２３の＋Ｚ方向側の面に接続され、他端は、中間部材５の＋Ｚ方向側の面に接続される。詳述すると、熱伝導シート７３は、中間部材５の第１開口部５３を挿通して、当該中間部材５の天面５Ａにおける所定位置に貼付される。これにより、ＣＰＵ７２３の熱が熱伝導シート７３を伝達し、中間部材５に伝導する。
【００３７】
［中間部材の構成］
図６は、中間部材５を＋Ｚ方向側から見た平面図であり、図７は、中間部材５を−Ｘ方向側から見た斜視図であり、図８は、中間部材５を＋Ｘ方向側から見た側面図である。
中間部材５は、アッパーケース４１及びロアーケース４２の間に配置（挟持）され、上記外装筐体４の一部を構成する部材である。この中間部材５は、第１回路基板７２の＋Ｚ方向側に位置し、当該第１回路基板７２を覆う略矩形板状の部材である。このような中間部材５は、金属製部材、具体的に、マグネシウムダイカストにより構成される。すなわち、中間部材５は、第１回路基板７２を覆うように配置されているので、当該第１回路基板７２のＣＰＵ７２３を含む複数の回路素子の熱が上昇することにより発生するノイズが当該中間部材５により制御装置３（外装筐体４）外に輻射することが抑制される。
【００３８】
このような中間部材５は、把手５１、枠部５２、第１開口部５３、第２開口部５４、第３開口部５５、第４開口部５６、複数の孔部５７、第１配置部５８及び第２配置部５９を有する。
把手５１は、図５及び図６に示すように、中間部材５の最も＋Ｙ方向側に設けられ、後述する枠部５２から延出する部位である。この把手５１の略中央には、開口部５１１が形成されている。換言すると、把手５１は、外装筐体４を構成する中間部材５において、コネクターＣＮが装着される端子部７２１が位置する面に設けられる。
【００３９】
枠部５２は、中間部材５の周縁の略全領域に沿って形成され、当該枠部５２は、外装筐体４の一部を構成する。具体的に、枠部５２は、制御装置３の天面部３Ｃ、底面部３Ｄ、左側面部３Ｅ及び右側面部３Ｆの一部を構成する。この枠部５２は、図６及び図７に示すように、＋Ｚ方向の面の略中央に設けられる凹部５２１及び−Ｘ方向側の面の略中央に設けられる凹部５２２を有する。凹部５２１には、アッパーケース４１の−Ｚ方向側の周縁から突出する凸部４１２が係合する（図１０参照）。また、凹部５２２には、ロアーケース４２の＋Ｚ方向側の周縁から突出する凸部４２８が係合する（図１０参照）。これにより、中間部材５が確実にアッパーケース４１及びロアーケース４２に挟持され、確実に固定される。
【００４０】
第１開口部５３は、上記熱伝導シート７３が挿通される開口部である。上述したように、第１開口部５３を挿通した熱伝導シート７３の他端は、中間部材５の天面５Ａの略中央に設けられた凹部５Ａ３に貼付される。これにより、熱伝導シート７３の一端が当接するＣＰＵ７２３の熱が当該中間部材５に伝導される。
第２開口部５４及び第３開口部５５は、中間部材５の＋Ｚ方向側に配置する第２回路基板７４に設けられる複数の回路素子（図示省略）に対応する位置に形成される。これら第２開口部５４及び第３開口部５５のそれぞれは、上記複数の回路素子の形状に合わせた形状に形成されている。
【００４１】
第４開口部５６は、中間部材５の＋Ｚ方向側に位置する第１タッチパッド７５に設けられる複数の回路素子（図示省略）に対応する位置に形成される。この第４開口部５６は、上記複数の回路素子の形状に合わせた形状に形成されている。
このように、第２開口部５４、第３開口部５５及び第４開口部５６のそれぞれに上記複数の回路素子が挿通されることにより、制御装置３の＋Ｚ方向に沿う方向の寸法を小さくできる。
複数の孔部５７は、中間部材５の四隅のそれぞれに形成される。これら複数の孔部５７には、上記アッパーケース４１の突出部４１１が挿通される。
【００４２】
図９は、アッパーケース４１、第１タッチパッド７５、光源部７６及びキートップ６１を取り外した状態の制御装置３を＋Ｚ方向側から見た平面図である。
第１配置部５８は、図６及び図７に示すように、中間部材５の−Ｘ方向側の周縁に形成される。この第１配置部５８は、天面５Ａから背面５Ｂに向けて延びる凹部であり、当該第１配置部５８にキートップ６３が配置される。また、天面５Ａにおける第１配置部５８の＋Ｘ方向側の位置には、２つの凹部５Ａ２が形成されている。この凹部５Ａ２には、図９に示すように、第２回路基板７４に固定されるスイッチ素子７４３が位置する。このスイッチ素子７４３のそれぞれには、第１配置部５８に配置されるキートップ６３の軸部６３２，６３３がそれぞれ当接する。
【００４３】
第２配置部５９は、図６及び図８に示すように、中間部材５の＋Ｘ方向側の周縁に形成される。この第２配置部５９は、天面５Ａから背面５Ｂに向けて延びる凹部であり、当該第２配置部５９にキートップ６２が配置される。また、天面５Ａにおける第２配置部５９の−Ｘ方向側の位置には、凹部５Ａ１が形成されている。この凹部５Ａ１には、図９に示すように、第２回路基板７４に固定されるスイッチ素子７４２が位置する。このスイッチ素子７４２には、第２配置部５９に配置されるキートップ６２の軸部６２２のそれぞれが当接する。
【００４４】
キートップ６２は、上記第２配置部５９に配置され、使用者により操作される操作部である。このキートップ６２は、使用者に押下（操作）されるＴ字状の本体部６２１と、当該本体部６２１の略中央から延出する軸部６２２と、を有する。この本体部６２１の＋Ｙ方向側の端部及び−Ｙ方向側の端部のそれぞれを押下することにより、軸部６２２が＋Ｙ方向及び−Ｙ方向のいずれかに移動する。この軸部６２２の移動方向は、スイッチ素子７４２により検出される。そして、第２回路基板７４に設けられた複数の回路素子（図示省略）は、当該キートップ６２（スイッチ素子７４２）に割り当てられた機能を実行する。
【００４５】
キートップ６３は、上記第１配置部５８に配置され、使用者により操作される操作部である。このキートップ６３は、使用者に押下されるＩ字状の本体部６３１と、当該本体部６３１の＋Ｙ方向側の端部及び−Ｙ方向側の端部からそれぞれ突出する軸部６３２，６３３と、を有する。この本体部６３１の＋Ｙ方向側の端部が使用者に押下されると、スイッチ素子７４３が当該軸部６３２の＋Ｘ方向への移動を検出する。一方、本体部６３１の−Ｙ方向側の端部が使用者に押下されると、スイッチ素子７４４が軸部６３３の＋Ｘ方向への移動を検出する。これにより、第２回路基板７４に設けられた複数の回路素子（図示省略）は、スイッチ素子７４３，７４４のそれぞれに割り当てられた機能を実行する。
【００４６】
図１０は、制御装置３を図４のＡ１−Ａ１線にて切断した断面を−Ｘ方向側から見た断面図である。
中間部材５の背面５Ｂには、図７、図８及び図１０に示すように、当接部５Ｂ１，５Ｂ２及び付勢部５Ｂ３が形成されている。これらのうち、当接部５Ｂ１は、第１回路基板７２に当接し、第１回路基板７２をロアーケース４２に当接する。この当接部５Ｂ１は、背面５Ｂの＋Ｙ方向側に位置し、当接部５Ｂ２は、背面５Ｂの−Ｙ方向側に位置する。この当接部５Ｂ１，５Ｂ２が第１回路基板７２をロアーケース４２の支持部４２７に向けて付勢することで、当該第１回路基板７２が外装筐体４内で確実に固定される。
また、付勢部５Ｂ３は、本発明の付勢部材に相当し、熱伝導シート７３をＣＰＵ７２３に付勢する。この付勢部５Ｂ３は、背面５Ｂにおける第１開口部５３の−Ｙ方向側の位置に配置される。換言すると、付勢部５Ｂ３は、中間部材５と熱伝導シート７３との間に配置される。これにより、付勢部５Ｂ３は、図１０に示すように、ＣＰＵ７２３に向けて熱伝導シート７３を付勢するので、ＣＰＵ７２３の熱が確実に当該熱伝導シート７３に伝導される。
【００４７】
［第２回路基板の構成］
第２回路基板７４は、中間部材５の天面５Ａに取り付けられる略矩形板状部材である。この第２回路基板７４は、図５及び図９に示すように、スイッチ素子７４１，７４２，７４３及び複数の回路素子（図示省略）を備える。
スイッチ素子７４１は、第２回路基板７４の＋Ｚ方向側に位置する天面７４Ａの略中央に位置し、キートップ６１の軸部（図示省略）が当接する部位であり、当該キートップ６１の−Ｚ方向への移動を検出する。
また、スイッチ素子７４２〜７４４は、第２回路基板７４の背面７４Ｂにおける上記凹部５Ａ１，５Ａ２に対向する位置に配置される。このスイッチ素子７４２は、キートップ６２の軸部６２２が当接する部位であり、軸部６２２の移動方向を検出する。
スイッチ素子７４３は、キートップ６３の軸部６３２に当接し、軸部６３２の＋Ｘ方向への移動を検出する。スイッチ素子７４４は、キートップ６３の軸部６３３に当接する部位であり、軸部６３３の＋Ｘ方向への移動を検出する。
これらスイッチ素子７４１〜７４４により上記不図示の軸部及び軸部６２２，６３２，６３３の移動が検出されると、第２回路基板７４に設けられた複数の回路素子（図示省略）は、スイッチ素子７４１〜７４４のそれぞれに割り当てられた機能を実行する。
【００４８】
上記スイッチ素子７４１に当接するキートップ６１は、使用者に押下される略円形状の本体部６１１と、当該本体部６１１から−Ｚ方向に延びる軸部（図示省略）を備える。これにより、使用者によりキートップ６１の本体部６１１が−Ｚ方向に押下されると、当該キートップ６１（スイッチ素子７４１）に割り当てられた機能が実行される。
【００４９】
［タッチパッドの構成］
第１タッチパッド７５は、中間部材５の天面５Ａに配置される矩形板状の部材である。この第１タッチパッド７５は、アッパーケース４１の操作面４１Ａ上を移動する支持体等の操作を検出する（受け付ける）機能を有する。具体的に、第１タッチパッド７５は、操作面４１Ａにおける位置入力領域Ａｒ１に対向する位置に配置される。
第２タッチパッド７７は、第２回路基板７４の天面７４Ａに配置される略ドーナツ状の部材である。この第２タッチパッド７７は、アッパーケース４１の操作面４１Ａ上を移動する支持体等の操作を検出する（受け付ける）機能を有する。具体的に、第２タッチパッド７７は、操作面４１Ａにおける方向キー入力領域Ａｒ３に対向する位置に配置される。
これら第１タッチパッド７５及び第２タッチパッド７７により受け付けられた支持体による操作内容は、当該第１タッチパッド７５及び第２タッチパッド７７の−Ｚ方向側の面に設けられた複数の回路素子（図示省略）を介して、上記ＣＰＵ７２３に送信され、キートップ６１が押下されると、当該ＣＰＵ７２３により当該操作に応じた処理が実行される。
【００５０】
［第１実施形態の効果］
以上説明した本実施形態に係る画像表示システム１は、以下の効果を奏する。
制御装置３の外装筐体４がアッパーケース４１、ロアーケース４２、及び金属製部材により構成される中間部材５により構成され、当該アッパーケース４１及びロアーケース４２の間に中間部材５が配置されるので、外装筐体４の衝撃等に対する強度を向上できる。従って、外装筐体４内に配置される第１回路基板７２の上記衝撃等による破損を抑制できる。
【００５１】
ここで、第１回路基板７２には、複数の回路素子（ＣＰＵ７２３）が配置され、当該ＣＰＵ７２３が処理を実行することにより、当該ＣＰＵ７２３の温度が上昇すると、当該ＣＰＵ７２３がノイズを発生させることがある。これに対し、本実施形態によれば、中間部材５が金属製部材により構成されているので、当該ＣＰＵ７２３から発生するノイズが制御装置３外に輻射することを抑制できる。また、中間部材５により、ノイズの外部への輻射を抑制できることから、当該ノイズの輻射を抑制する部材を別途設ける必要がないので、制御装置３の部品点数を削減できる。
【００５２】
また、金属製部材により構成される中間部材５の一部が外部に露出しているので、制御装置３の外観を高めることができる。例えば、アッパーケース４１及びロアーケース４２が合成樹脂等により構成されているので、特に、制御装置３の外観を向上できる。更に、中間部材５の一部が外部に露出していることから、当該中間部材５の熱を制御装置３外に放熱させることができる。すなわち、制御装置３の温度が上昇することを抑制できる。
【００５３】
第２回路基板７４が中間部材５に取り付けられているので、第２回路基板７４の回路素子からのノイズを当該中間部材５により外部に輻射することを抑制できる。また、第２回路基板７４が中間部材５に取り付けられていることから、第２回路基板７４が中間部材５に取り付けられていない場合に比べて、第２回路基板７４を外装筐体４内にて確実に保持できる。
【００５４】
ＣＰＵ７２３と中間部材５とが熱伝導シート７３により接続されているので、ＣＰＵ７２３の熱を中間部材５に確実に伝達できる。これにより、中間部材５からＣＰＵ７２３の熱を放熱できるので、制御装置３の温度が上昇することをより抑制できる。
【００５５】
熱伝導シート７３の一端がＣＰＵ７２３に当接し、当該熱伝導シート７３の他端が中間部材５の第１開口部５３を挿通して、中間部材５の天面５Ａ、すなわち、ＣＰＵ７２３が中間部材５におけるＣＰＵ７２３が位置する側とは反対方向側の天面５Ａに当接するので、ＣＰＵ７２３の熱をより遠くに伝導することができる。従って、制御装置３の温度が上昇することを更に抑制できる。
【００５６】
熱伝導シート７３が付勢部５Ｂ３によりＣＰＵ７２３に対して付勢されるので、ＣＰＵ７２３の熱が熱伝導シート７３を介して確実に中間部材５に伝達できる。従って、制御装置３の温度が上昇することを確実に抑制できる。
【００５７】
ロアーケース４２に二次電池７１が収容されているので、当該二次電池７１を取り出すことなく充電できるので、電池交換が不要となり、使用者の利便性を向上させることができる。また、二次電池７１と第１回路基板７２とが離間する位置に配置されている、すなわち、二次電池７１と第１回路基板７２とが当接していないので、第１回路基板７２に二次電池の熱が伝達することを抑制できる。
【００５８】
中間部材５が把手５１を有するので、使用者は、当該把手５１にストラップ等を取り付け、制御装置３を所望の位置（例えば、ベルトやヘルメット等）に取り付けることが容易になる。また、中間部材５が金属製部材により構成されているので、把手５１の強度を高めることができる。
また、端子部７２１が位置する面に把手５１が設けられるので、当該把手５１がケーブルＣＢ及びコネクターＣＮにより目立たなくなるので、制御装置３の外観を良好にできる。
更に、中間部材５がマグネシウムダイカストにより構成されているので、中間部材５の強度、ひいては、制御装置３の外装筐体４の強度を高めることができる。
【００５９】
使用者は、操作面４１Ａを操作することにより、制御装置３を操作できる。これにより、当該制御装置３にケーブルＣＢ等を介して、虚像表示装置２が接続されているので、当該操作面４１Ａを操作することで、虚像表示装置２を操作できる。
【００６０】
また、ロアーケース４２の支持部４２７が第１回路基板７２の少なくとも一部に当接しているので、第１回路基板７２を外装筐体４内において確実に保持できる。
また、制御装置３からの制御信号により虚像表示装置２を制御できるので、例えば、虚像表示装置２に操作部等が設けられている場合に比べて、容易に当該虚像表示装置２を制御できる。従って、使用者の利便性をより向上させることができる。
【００６１】
［第２実施形態］
次に、本発明の第２実施形態について説明する。
本実施形態に係る制御装置は、上記第１実施形態に係る制御装置３と略同一の構成を備える他、上記制御装置３を構成する中間部材の構成が一部異なる。具体的に、上記制御装置３の中間部材５は、マグネシウムダイカストにより構成されているのに対し、本実施形態の中間部材は、金属製部材及び樹脂部材により構成されている点で相違する。
なお、以下の説明では、既に説明した部分と同一又は略同一である部分については、同様の符号を付して説明を省略する。
【００６２】
図１１は、本実施形態に係る制御装置３を構成する中間部材Ａ５の平面図である。
中間部材Ａ５は、金属製部材Ａ５１と、樹脂部材Ａ５２とを備える。この金属製部材Ａ５１は、中間部材Ａ５の中心部に位置し、当該金属製部材Ａ５１の周囲を樹脂部材Ａ５２によって囲まれている。
また、中間部材Ａ５の金属製部材Ａ５１は、中間部材Ａ５の中心部に位置するため、第１回路基板７２に設けられた回路素子（ＣＰＵ７２３）を覆う。更に、中間部材Ａ５の中央部に位置する金属製部材Ａ５１の周囲に樹脂部材Ａ５２が位置するため、当該樹脂部材Ａ５２が外装筐体４の外部に露出する。
【００６３】
［第２実施形態の効果］
本実施形態に係る制御装置は、上記第１実施形態に係る制御装置３と同様の効果を奏する他、以下の効果を奏する。
本実施形態では、アッパーケース４１及びロアーケース４２と同様に、中間部材Ａ５の外部に露出する部位が樹脂部材Ａ５２により構成されているので、外装筐体４の外観上の一体感を向上させることができる。
また、熱伝導シート７３により中間部材Ａ５にＣＰＵ７２３の熱が伝導された場合であっても、アルミニウムダイカストにより構成された中間部材５に比べて、樹脂部材Ａ５２の熱伝導率が低いので、外部に露出された樹脂部材Ａ５２の温度が上昇しすぎることを抑制できる。従って、使用者が制御装置３を保持した場合に、熱を感じる可能性を低減できる。
【００６４】
［実施形態の変形］
本発明は、上記各実施形態に限定されるものではなく、本発明の目的を達成できる範囲での変形、改良等は本発明に含まれるものである。
上記各実施形態では、第２回路基板７４は、中間部材５，Ａ５に取り付けられていることとした。しかしながら、本発明は、これに限らない。例えば、第２回路基板７４は、アッパーケース４１に取り付けられてもよい。また、第２回路基板７４はなくてもよく、この場合、スイッチ素子７４１〜７４４は、中間部材５，Ａ５の天面５Ａに取り付けられればよい。
【００６５】
上記各実施形態では、熱伝導シート７３を備えることとした。しかしながら、本発明は、これに限らない。例えば、熱伝導シート７３を備えなくてもよい。また、熱伝導部材として、熱伝導シート７３を備えることとしたが、熱伝導部材はシート状でなくてもよい。例えば、熱伝導部材は、ＣＰＵ７２３と中間部材５，Ａ５との間に配置される直方体状に形成されればよい。この場合、熱伝導部材がＣＰＵ７２３及び中間部材５，Ａ５により挟持されることから、付勢部材として中間部材５，Ａ５が付勢部５Ｂ３を備えなくてもよい。更に、この場合、中間部材５，Ａ５は、第１開口部５３を備えなくてもよい。
【００６６】
上記各実施形態では、熱伝導シート７３の他端は、中間部材５，Ａ５の凹部５Ａ３に貼付されることとした。しかしながら、本発明は、これに限らない。例えば、固定部材等により中間部材５，Ａ５の凹部５Ａ３に固定されてもよい。
また、上記各実施形態では、熱伝導シート７３は、ＣＰＵ７２３に当接されることとした。しかしながら、本発明は、これに限らない。例えば、熱伝導シート７３は、第１回路基板７２の天面７２Ａに配置されたその他の回路素子に当接することとしてもよい。すなわち、熱伝導シート７３が当接される回路素子は、ＣＰＵ７２３に限られず、ＣＰＵ７２３以外の回路素子に当接する熱伝導シートを更に設けてもよい。
【００６７】
上記各実施形態では、ロアーケース４２の第１回路基板７２と離間する位置に二次電池７１が収容されていることとした。しかしながら、本発明は、これに限らない。例えば、第１回路基板７２と二次電池７１とは、当接していてもよい。
更に、上記各実施形態では、ロアーケース４２内に二次電池７１が収容されていることとした。しかしながら、本発明は、これに限らない。例えば、ロアーケース４２内には、二次電池７１に代えて、一次電池が収容されるようにしてもよい。更に、二次電池７１は、なくてもよい。この場合、制御装置３の外部から電力を供給できればよい。これによれば、ロアーケース４２の厚さ寸法を小さくできるので、制御装置３を小型化できる。
【００６８】
上記各実施形態では、中間部材５，Ａ５は、把手５１を有することとした。しかしながら、本発明は、これに限らない。例えば、中間部材５，Ａ５は、把手５１を有さなくてもよい。また、把手５１に加えて、当該把手５１と同形状の把手を更に設けるようにしてもよい。すなわち、把手５１は、なくてもよいし、２つ以上設けられてもよい。
【００６９】
上記各実施形態では、把手５１は、ケーブルＣＢ（コネクターＣＮ）が接続される端子部７２１が位置する面に設けられることとした。しかしながら、本発明は、これに限らない。例えば、把手５１の位置は、端子部７２１が位置する面とは反対方向側の面に設けられてもよい。すなわち、把手５１は、どのような位置に設けられてもよい。
【００７０】
上記第１実施形態では、中間部材５は、マグネシウムダイカストにより構成されることとした。しかしながら、本発明は、これに限らない。例えば、中間部材５は、アルミニウムダイカストにより構成されることとしてもよい。すなわち、中間部材５は、金属製部材により構成されていればよい。
また、上記各実施形態では、アッパーケース４１及びロアーケース４２は、合成樹脂等により構成されることとした。しかしながら、本発明は、これに限らない。例えば、アッパーケース４１及びロアーケース４２の少なくとも一方が金属製部材により構成されてもよい。この場合、制御装置３の剛性を更に高めることができる。
【００７１】
上記各実施形態では、中間部材５，Ａ５は、外装筐体４の一部を構成することとした。しかしながら、本発明は、これに限らない。例えば、中間部材５，Ａ５は、図１０に示すように、アッパーケース４１及びロアーケース４２よりも外側に突出する形状でなくてもよく、アッパーケース４１及びロアーケース４２が中間部材５，Ａ５より外側に突出する形状であってもよい。この場合、使用者が制御装置３を保持したときに、中間部材５，Ａ５が当該使用者に当接しないので、中間部材５，Ａ５から放熱される熱が使用者に伝達されることを抑制できる。
【００７２】
上記第２実施形態では、中間部材Ａ５は、金属製部材Ａ５１及び樹脂部材Ａ５２により構成されていることとした。しかしながら、本発明は、これに限らない。例えば、樹脂部材Ａ５２は、ゴム部材等により構成されていてもよい。この場合であっても、上記第２実施形態と同様の効果を奏することができる。
また、上記第２実施形態では、中間部材Ａ５の略全領域が金属製部材Ａ５１により構成されていることとした。しかしながら、本発明は、これに限らない。例えば、金属製部材Ａ５１と樹脂部材Ａ５２の割合は、例えば、同程度であってもよい。すなわち、中間部材Ａ５の中央部が金属製部材Ａ５１により構成されていればよい。
更に、第１実施形態における中間部材５の周囲にゴム部材を配置するようにしてもよい。
【００７３】
上記各実施形態では、アッパーケース４１は、操作面４１Ａを備えることとした。しかしながら、本発明は、これに限らない。例えば、アッパーケース４１は、操作面４１Ａを備えなくてもよい。この場合、操作面４１Ａに代えて、当該操作面４１Ａの機能と同等の機能を実行できる物理キー等が設けられてもよい。また、操作面４１Ａは、ロアーケース４２に設けられてもよい。
【００７４】
また、上記各実施形態では、操作面４１Ａにおける位置入力領域Ａｒ１には、シボ加工が施されていることとした。しかしながら、本発明は、これに限らない。例えば、位置入力領域Ａｒ１にはシボ加工が施されなくてもよい。また、位置入力領域Ａｒ１を明確にするため、当該位置入力領域Ａｒ１を目立たせるその他の加工（例えば、当該位置入力領域Ａｒ１をラインで囲む等）がなされていてもよい。
【００７５】
上記各実施形態では、ロアーケース４２は、第１回路基板７２を支持する支持部４２７を有することとした。しかしながら、本発明は、これに限らない。例えば、支持部４２７はなくてもよい。また、ロアーケース４２には、シボ加工が施されていることとした。しかしながら、本発明は、これに限らない。例えば、ロアーケース４２には、シボ加工が施されていなくてもよい。この場合、ロアーケース４２に別途、滑り止め用のゴム部材等が固定されていてもよい。
【００７６】
また、上記各実施形態では、第１回路基板７２の少なくとも一部は、中間部材５，Ａ５の当接部５Ｂ１，５Ｂ２に当接することとした。しかしながら、本発明は、これに限らない。例えば、当接部５Ｂ１，５Ｂ２はなくてもよい。この場合、例えば、当接部５Ｂ１，５Ｂ２に代えて、中間部材５，Ａ５と第１回路基板７２との間に付勢部材等を設けてもよい。この場合であっても、上記実施形態と同様の効果を奏することができる。
【００７７】
上記各実施形態では、スイッチ素子７４１〜７４４により不図示の軸部及び軸部６２２，６３２，６３３の移動が検出されると、第２回路基板７４に設けられた複数の回路素子（図示省略）は、スイッチ素子７４１〜７４４のそれぞれに割り当てられた機能を実行することとした。しかしながら、本発明は、これに限らない。例えば、第２回路基板７４の複数の回路素子が第１回路基板７２のＣＰＵ７２３に電気的に接続されている場合、上記機能を実行する処理を当該ＣＰＵ７２３により実行してもよい。
【００７８】
上記各実施形態では、画像表示装置として、使用者に虚像として視認される画像を表示する虚像表示装置２を例示した。しかしながら、本発明はこれに限らない。例えば、使用者の両眼に応じた位置に、液晶パネルや有機ＥＬ（Electro-Luminescence）パネル等の表示手段を備える構成を採用してもよい。
また、画像表示装置として、レーザー網膜投影型のＨＭＤを用いることも可能である。例えば、表示部が、レーザー光源と、レーザー光源を使用者の眼に導く光学系とを備え、レーザー光を使用者の眼に入射させて網膜上を走査し、網膜に結像させることにより、使用者に画像を視認させるＨＭＤを採用してもよい。
【００７９】
上記各実施形態では、制御装置３は、虚像表示装置２に操作信号を出力するものとした。しかしながら、本発明はこれに限らない。すなわち、他の電子機器に制御信号を出力する制御装置に対して、本発明を適用してもよい。
【００８０】
上記各実施形態では、本発明を制御装置３に適用した構成を例示しているが、本発明はこれに限らない。例えば、虚像表示装置２のヘッドバンド部２１や表示部２２のケースにキートップが設けられ、当該ケース内にキートップが押されたことを検出する検出部を有する回路基板が設けられている場合に、当該虚像表示装置２に本発明を適用し、防水や防塵を図ってもよい。
【００８１】
上記各実施形態において、制御装置３が虚像表示装置２に送信する制御信号には、例えば、外部のスマートフォンやＰＣ（Personal Computer）等から無線や有線で制御装置３が受信した操作信号や画像情報等が含まれていてもよい。
上記各実施形態では、制御装置３は、図２に示す形状である。しかしながら、本発明はこれに限らない。例えば、腕時計型や、楕円球型、円柱型等、様々な形状を有していてもよい。
【符号の説明】
【００８２】
１…画像表示システム、２…虚像表示装置（画像表示装置）、３…制御装置、３Ａ…正面部、３Ｂ…背面部、３Ｃ…天面部、３Ｄ…底面部、３Ｅ…左側面部、３Ｆ…右側面部、４…外装筐体、４１…アッパーケース、４１１…突出部、４１１１…ねじ孔、４１２…凸部、４１３…孔部、４１Ａ…操作面、４２…ロアーケース、４２１…第１開口部、４２２…第２開口部、４２３…第３開口部、４２４…第４開口部、４２５…カバー部材、４２６…孔部、４２７…支持部、４２８…凸部、４２Ａ…底面部、５，Ａ５…中間部材、５１…把手、５２…枠部、５３…第１開口部（開口部）、５Ａ…天面、５Ｂ…背面、６１…キートップ、６１１…本体部、６２…キートップ、６２１…本体部、６２２…軸部、６３…キートップ、６３１…本体部、６３２…軸部、６３３…軸部、６４…キートップ、７…中間部材、７１…二次電池、７１１…延出部、７２…第１回路基板、７２１…端子部、７２２…接続部、７２７…支持部、７２Ａ…天面、７２Ｂ…背面、７３…熱伝導シート（熱伝導部材）、７４…第２回路基板、７４Ａ…天面、７４Ｂ…底面、７５…第１タッチパッド、７６…光源部、７７…第２タッチパッド、ＣＢ…ケーブル。
【図１】
2017147270.tif 000003
【図２】
2017147270.tif 000004
【図３】
2017147270.tif 000005
【図４】
2017147270.tif 000006
【図５】
2017147270.tif 000007
【図６】
2017147270.tif 000008
【図７】
2017147270.tif 000009
【図８】
2017147270.tif 000010
【図９】
2017147270.tif 000011
【図１０】
2017147270.tif 000012
【図１１】
2017147270.tif 000013